(57)【要約】【課題】  ルーバを含む配光制御部材の照射方向を変えることができるとともに配光制御部材を外すことなくランプ交換が可能な照明器具を提供する。【解決手段】  ランプソケット２３を有する器具本体３と、ランプソケット２３に装着されるランプ１の前面に配置されランプ１に対して移動可能に器具本体３に取付けられたルーバ２と、このルーバ２をランプ１の所定の照射位置に位置決めしてランプ１から照射する光の向きを設定する照射方向設定手段とを備える。照射方向設定手段により位置決めされるルーバ２の少なくとも１つの位置は、ランプ１が交換可能な程度にランプ１を露出させる。照射方向設定手段は、軸３５を軸受けする屈曲部１２を有してルーバ２を器具本体３側に引き寄せる取付用ばね８と、ルーバ２に形成した当接面４２と、器具本体３に設けられ複数の係止部３６〜３８を形成した固定具３３を有する。【選択図】        図１
2005141978.tif 000002
【特許請求の範囲】
【請求項１】
ランプソケットを有する器具本体と、前記ランプソケットに装着されるランプの前面に配置され前記ランプに対して移動可能に前記器具本体に取付けられた配光制御部材と、この配光制御部材を前記ランプの所定の照射位置に位置決めして前記ランプから照射する光の向きを設定する照射方向設定手段とを備え、前記照射方向設定手段により位置決めされる前記配光制御部材の少なくとも１つの位置は、前記ランプが交換可能な程度に前記ランプを露出させるものであることを特徴とする照明器具。
【請求項２】
前記配光制御部材は前記ランプの軸線上に配置された軸により前記器具本体に回動自在に支持され、前記照射方向設定手段は前記配光制御部材を所定の回動角度に位置決めする請求項１記載の照明器具。
【請求項３】
前記照射方向設定手段は、前記軸を軸受けする屈曲部を有して前記配光制御部材を前記器具本体側に引き寄せる取付用ばねと、前記配光制御部材に形成した当接面と、前記器具本体に設けられた固定具を有し、前記固定具は、前記当接面が前記取付用ばねにより引き寄せられて当接することにより前記配光制御部材を前記所定の回動角度に位置決めする複数の係止部を前記配光制御部材の回動方向に連続して形成している請求項２記載の照明器具。
【発明の詳細な説明】
【技術分野】
【０００１】
本発明は、ルーバ等の付いた照明器具に関するものである。
【背景技術】
【０００２】
第１の従来例を図１２に示す。１００は天井、１０１はトータルバー、１０２は器具本体、１０３はランプソケット、１０４はルーバである。第１の従来例はランプ交換に際してルーバを外す必要がある。
【０００３】
第２の従来例を図１３に示す。図１２と共通部分に同一符号を付している。これはルーバ１０４を外すことなくランプ交換が可能である（特許文献１）。
【０００４】
第３の従来例を図１４に示す。図１２と共通部分に同一符号を付している。これはルーバ１０４をそれぞれ回動することによりルーバ１０４を外すことなくランプ交換可能である（特許文献２）。
【特許文献１】特開昭５６−５０００３号公報
【特許文献２】実開昭５５−４４５２１号公報
【発明の開示】
【発明が解決しようとする課題】
【０００５】
第１の従来例は、上記のようにランプ交換時にはルーバ１０４を外して交換する必要があるため、作業性が悪いという欠点があった。またトータルバー１０１の反射板部分にルーバ１０４の映り込みがあり、美観をそこなっていた。さらに照明ラインが固定されているため、照射方向を変えることができず、照度を変えることができない。またルーバ１０４を器具幅全体に設けると器具効率が悪くなる。
【０００６】
第２および第３の従来例は、ルーバを外すことなくランプ交換が可能である。しかし、照射方向を変えることができない。
【０００７】
したがって、この発明の目的は、ルーバを含む配光制御部材の照射方向を変えることができるとともに配光制御部材を外すことなくランプ交換が可能な照明器具を提供することである。
【課題を解決するための手段】
【０００８】
この発明の照明器具は、ランプソケットを有する器具本体と、前記ランプソケットに装着されるランプの前面に配置され前記ランプに対して移動可能に前記器具本体に取付けられた配光制御部材と、この配光制御部材を前記ランプの所定の照射位置に位置決めして前記ランプから照射する光の向きを設定する照射方向設定手段とを備え、前記照射方向設定手段により位置決めされる前記配光制御部材の少なくとも１つの位置は、前記ランプが交換可能な程度に前記ランプを露出させるものであることを特徴とするものである。
【０００９】
上記構成において、前記配光制御部材は前記ランプの軸線上に配置された軸により前記器具本体に回動自在に支持され、前記照射方向設定手段は前記配光制御部材を所定の回動角度に位置決めするものである。
【００１０】
上記構成において、前記照射方向設定手段は、前記軸を軸受けする屈曲部を有して前記配光制御部材を前記器具本体側に引き寄せる取付用ばねと、前記配光制御部材に形成した当接面と、前記器具本体に設けられた固定具を有し、前記固定具は、前記当接面が前記取付用ばねにより引き寄せられて当接することにより前記配光制御部材を前記所定の回動角度に位置決めする複数の係止部を前記配光制御部材の回動方向に連続して形成している。
【発明の効果】
【００１１】
この発明の照明器具によれば、ランプ交換の際にルーバを含む配光制御部材を外すことなくランプ交換が可能となり、また配光制御部材を移動することにより照射光の方向を変化することができる。さらに配光制御部材を器具本体から分離することなくランプ交換が行えるような機能を、ルーバを移動させてランプから照射する光の向きを変えることにも使用できるようにすると、ランプ交換と、ルーバを移動させてランプから照射する光の向きを変えることとが一つの部材の同じ操作で行えるので、操作性を向上することができる。
【００１２】
配光制御部材をランプの軸回りに所定の角度回動させると、ルーバを移動させてもルーバとランプとの距離を略一定にできるので、ランプに対して常に同じ程度にルーバにより光を制御することができる。
【００１３】
さらに、取付用ばねを用いることにより、ルーバの回転角度の固定と、ルーバの保持とが同時にでき、さらに交換も可能となる。
【発明を実施するための最良の形態】
【００１４】
この発明の一実施の形態を図１から図１１により説明する。この照明器具は、ランプ１と、配光制御部材２と、器具本体３とを有する。
【００１５】
ランプ１は直管蛍光ランプを用いている。
【００１６】
配光制御部材２はルーバを用い、ランプ１の前面に配置される。実施の形態では図５に示すように例えば金属製のルーバ枠４と、ルーバ枠４の内側にねじ６により取付けられる例えば金属製のルーバ部材５と、ルーバ枠４の両端の内側にねじ７により取付けられるルーバ枠取付用ばね８を有する。なお落下防止紐９を追加してもよい。ルーバ枠４はランプ１および後述のランプソケットを囲み得る大きさの長方形状をなしている。ルーバ部材５は例えば平板に多数のルーバ片１０を切起こしにより一体形成で垂下している。ルーバ部材５の両側は立ち上げ片１１を曲げてルーバ枠４内に嵌めねじ６により取付けている。ルーバ枠取付用ばね８は例えば板ばねを略コ字形に折曲し、さらにその上片をへの字形の軸受け用屈曲部１２を形成し、その先端１３を反対向きに折曲している。なおルーバ枠４の両端の内側に図６に示すように当接面４２を設けている。
【００１７】
器具本体３は、ランプ１と配光制御部材２を支持する。実施の形態では断面逆Ｕ字形の長尺部材により形成し、その内側に安定器１４、端子台１５および電子スタータ１６が  ねじ１７〜１９により取付けられている。器具本体３の両端部の下面側に例えば金属製の取付脚２０が取付けられ、各取付脚２０の両端には返り爪２１ａの付いた例えば金属製の浮上り防止具２１が取付けられている。器具本体３の両端にはソケット台３０がねじ３２により取付けられ、各ソケット台３０にランプソケット２３が取付けられている。ランプソケット２３にランプ１が装着される。反射板２４がランプソケット２３間に配置され、例えば化粧つまみねじ２５などのねじにより器具本体３に取付けられている。またランプソケット２３を貫通する孔２６を設けたエンドプレート２７が器具本体３の両端にねじ２８により取付けられている。さらにソケット台３０にルーバ枠４を取付けるための例えば金属製の固定具３３の上端がエンドプレート２７を通してねじ３４により取付けられている。固定具３３はランプ軸と同軸線上、ちょうどランプソケット２３の背面側に軸３５を外向きに突設し、下端縁部に水平係止部３６とその両側に傾斜係止部３７、３８を連続して形成している。傾斜係止部３７、３８の傾斜角は水平係止部３６に対して例えば２５度にしている。なお、５０は器具本体３の電源線を通す貫通穴５１に設けた電源ブッシングである。
【００１８】
器具本体３はシステム天井のトータルバー４０に支持されている。一対の平行なトータルバー４０は天井躯体（図示せず）に吊持され、トータルバー４０間に器具本体３、反射板２４、ランプ１および配光制御部材２等が収納され、取付脚２０の両端がトータルバー４０の上面に係止し、トータルバー４０の内側片に返り爪２１ａの付いた浮上り防止具２１が係合している。天井板５５はトータルバー４０の外側に係載されている。
【００１９】
このように、システム天井のトータルバー４０と照明器具で構成されたシステム天井用器具においては、例えばルーバ（２）の形状を器具幅約190ミリに対して、1／3の約60ミリにし、トータルバー４０とルーバ（２）の間のスペース５６に手が入る寸法に設定する。矢印５７は対流熱による通気路である。この場合、ルーバの固定方法にはつぎのように取付用ばね８を使用し、回転機能を設けた照射方向設定手段により構成する。
【００２０】
すなわち、照射方向設定手段は、後述のように軸３５のある固定具３３と、取付用ばね８とで構成するものであり、配光制御部材２をランプ１に対して移動可能に取付ける働きを兼ねるとともに、配光制御部材２をランプ１の所定の照射位置に位置決めしてランプ１から照射する光の向きを設定する。この場合、照射方向設定手段により位置決めされる配光制御部材２の少なくとも１つの位置は、ランプ１が交換可能な程度にランプ１を露出させる。実施の形態では、配光制御部材２はランプ１の軸線上に配置された軸３５により回動自在に支持され、照射方向設定手段は配光制御部材２を所定の回動角度に位置決めする。すなわち、照射方向設定手段は、上記の軸３５を軸受けする屈曲部１２を有して配光制御部材２を器具本体側に引き寄せる取付用ばね８と、配光制御部材２の例えばルーバ枠４に形成した当接面４２と、器具本体３に設けられた固定具３３を有し、固定具３３は、当接面４２が取付用ばね８により引き寄せられて当接することにより配光制御部材２を所定の回動角度に位置決めする複数の係止部３６〜３８を配光制御部材２の回動方向に連続して形成している。
【００２１】
配光制御部材２の取付けは、図６から図８の矢印のようにルーバ枠固定具３３をルーバ枠４の端部に挿入し、ルーバ枠４をスライドして軸３５が取付用ばね８の屈曲部１２に引っ掛かるように嵌め込む。このときばね８が軸３５に弾性係合してルーバ枠４を引き寄せる作用により、ルーバ枠４の当接面４２が係止部３６〜３８のいずれかに係止し、水平位置と２種類の傾斜位置のいずれかにルーバ枠４が位置決めされる。傾斜係止部３７、３８では傾斜によりルーバ（２）が開いた側からランプ１を着脱できる。またルーバ枠４を回動することにより当接面４２を係止部３６〜３８に沿って摺動させて係止部３６〜３８のいずれかに移動することができる。一方ルーバ（２）の取り外しはドライバーのような治具で取付用ばね８の先端側を起こしルーバ枠４をスライドさせて行う。
【００２２】
図１０はルーバ（２）が水平係止部３６に係止した姿勢の場合の配光曲線であり、各照明器具の直下の床面または机面の照度が高いことがわかる。図１１（ａ）はランプ光束が１０００ｌｍの場合の具体的な配光曲線の一例である。
【００２３】
図９はルーバ（２）を２５度傾斜した場合の配光曲線であり、２つの照明器具の間の位置の床面または机面の照度が高いことがわかる。図１１（ｂ）はランプ光束が１０００ｌｍの場合の具体的な配光曲線である。
【００２４】
この実施の形態によれば、ランプ交換の際にルーバを外すことなくランプ交換可能となった。またトータルバー（反射板）の反射面へのルーバの映り込み（影）が無くなり意匠面で美観を損なわない器具となった。さらに例えば図９に示すように照明ラインの無い中央部分に２本の照明ラインから光を集中させることによって照度アップが図れるようになった。また遮光角を保ちながらルーバ部分を狭くし、器具効率のアップを図ることができる。ルーバをばね８によりワンタッチで取付けができ、所定の角度の方向に光を出すことがワンタッチで可能なルーバとなった。
【００２５】
なお、この発明において、配光制御部材２はルーバに限らず、パネル等でもよい。また配光制御部材の移動は回動のほか水平移動でもよい。さらに軸３５をルーバ側に設け、ばね８を固定具側に設けてもよい。
【図面の簡単な説明】
【００２６】
【図１】この発明の一実施の形態の断面図である。
【図２】その長手方向に沿った断面図である。
【図３】側面図である。
【図４】底面図である。
【図５】全体の分解斜視図である。
【図６】ルーバ枠を固定具に取付ける過程の斜視図である。
【図７】その取付状態の側面からみた説明図である。
【図８】取付状態の断面図である。
【図９】ルーバ回転状態の配光曲線図である。
【図１０】ルーバの水平姿勢の状態の配光曲線図である。
【図１１】（ａ）はルーバの水平状態の配光曲線図、（ｂ）は傾斜状態の配光曲線図である。
【図１２】第１の従来例の概略断面図である。
【図１３】第２の従来例の概略断面図である。
【図１４】第３の従来例の底面図である。
【符号の説明】
【００２７】
１  ランプ
２  配光制御部材
３  器具本体
８  取付用ばね
１２  屈曲部
２３  ランプソケット
３３  固定具
３５  軸
３６〜３８  係止部
４２  当接面
【図１】
2005141978.tif 000003
【図２】
2005141978.tif 000004
【図３】
2005141978.tif 000005
【図４】
2005141978.tif 000006
【図５】
2005141978.tif 000007
【図６】
2005141978.tif 000008
【図７】
2005141978.tif 000009
【図８】
2005141978.tif 000010
【図９】
2005141978.tif 000011
【図１０】
2005141978.tif 000012
【図１１】
2005141978.tif 000013
【図１２】
2005141978.tif 000014
【図１３】
2005141978.tif 000015
【図１４】
2005141978.tif 000016